(57)【要約】【課題】簡素な構成でありながら、作業者によるグロメットのパネルへの装着作業を容易に行うことができ、しかも、パネルにグロメットを安定して装着することができるグロメットを提供すること。【解決手段】第１樹脂リング１２０と嵌合する嵌合溝１１２と、室内側パネル部１１３から筒状に立ち上がるシール部１１５と、嵌合溝１１２と嵌合する鍔部１２１と、鍔部１２１からシール部１１５の内側に位置してパネル３と係合するように立ち上がる複数の保持爪１２２と、複数の保持爪１２２の間において鍔部１２１からシール部１１５の内側に位置するように立ち上がる複数の壁部１２３と、保持爪１２２の内側から径方向内側に突出する複数の被係合部１２４と、グロメット本体１１０を室外側パネル部１１４から室内側パネル部１１３へと貫通して被係合部１２４と係合するように立ち上がる複数の係合爪１３３を備える。【選択図】図５
2015220779.tif 000002
【特許請求の範囲】
【請求項１】
パネルに形成した貫通穴に装着してワイヤハーネスを保護するグロメットにおいて、
ゴム又はエストラマーからなるリング状のグロメット本体と、
前記グロメット本体の一面側に位置する第１樹脂リングと、
前記グロメット本体の他面側に位置する第２樹脂リングと、
を備え、
前記グロメット本体は、前記第１樹脂リングと嵌合する嵌合溝と、前記一面側から筒状に立ち上がるシール部と、を備え、
前記第１樹脂リングは、前記嵌合溝と嵌合する鍔部と、前記鍔部から前記シール部の内側に位置して前記パネルと係合するように立ち上がる複数の保持爪と、この複数の保持爪の間において前記鍔部から前記シール部の内側に位置するように立ち上がる複数の壁部と、前記保持爪の内側から径方向内側に突出する複数の被係合部と、を備え、
前記第２樹脂リングは、前記グロメット本体を前記他面側から前記一面側へと貫通して前記被係合部と係合するように立ち上がる複数の係合爪を備え、
前記嵌合溝に前記鍔部を嵌合することで前記グロメット本体と前記第１樹脂リングとを組み付け、前記被係合部に前記係合爪を係合させることによって前記グロメット本体を含み前記第１樹脂リングと前記第２樹脂リングとを組み付けるとともに、前記保持爪を前記パネルに係合させることによって組み付け状態の前記第１樹脂リングを前記パネルに装着することを特徴とするグロメット。
【請求項２】
前記複数の壁部に形成された開口部と、
前記第２樹脂リングに突出形成されるとともに前記グロメット本体を前記他面側から前記一面側へと貫通して前記シール部の内壁面と少なくとも先端寄りの一部が当接するように前記開口部に臨む押圧片と、
を備え、
前記押圧片は、前記シール部の内壁面と当接するとともに先端に向かうほど径方向外側から径方向内側に傾斜する傾斜面を備えることを特徴とする請求項１に記載のグロメット。
【請求項３】
前記グロメットの前記他面側に形成されて前記第２樹脂リングと当接するシールリップ部を備えることを特徴とする請求項１又は請求項２に記載のグロメット。
【請求項４】
前記シール部の外壁面に形成されて前記貫通穴の開口端面と当接するシールリップ部を備えることを特徴とする請求項１乃至請求項３の何れか１の請求項に記載のグロメット。
【発明の詳細な説明】
【技術分野】
【０００１】
本発明は、パネルに形成した貫通穴に装着してワイヤハーネスを保護するグロメットに関する。
【背景技術】
【０００２】
従来、パネルに形成した貫通穴に装着してワイヤハーネスを保護するとともにパネルの一面側から他面側に水滴等の浸入を防止するようにしたグロメットが知られている。
【０００３】
また、このようなグロメット１としては、図６に示すように、ゴム又はエストラマーからなるグロメット本体１０と、半割の第１樹脂リング２０と、半割の第２樹脂リング３０と、を備えたものがある（例えば、特許文献１参照）。
【０００４】
グロメット本体１０は、ワイヤハーネス（図示せず）を挿通する小径内筒部１１と、小径内筒部１１の外周面から突設した第１樹脂リング保持部１２と、第１樹脂リング保持部１２から連続して軸線方向に沿って延在する外筒部１３と、外筒部１３から径方向外側に向けて突出する第２樹脂リング保持部１４と、を備える。
【０００５】
第１樹脂リング２０は、第１樹脂リング保持部１２と嵌合する鍔部２１と、鍔部２１から突出して係合穴２２ａを形成した筒部２２と、を備える。
【０００６】
前記第２樹脂リング３０は、係合穴２２ａと係合可能な係合爪３１ａを形成した筒部３１と、第２樹脂リング保持部１４と嵌合する鍔部３２と、を備える。
【０００７】
グロメット本体１０に半割の第１樹脂リング２０及び半割の第２樹脂リング３０を組み付けるには、図６（Ａ）に示すように、第１樹脂リング保持部１２に鍔部２１を嵌合させてグロメット本体１０に第１樹脂リング２０を保持させる。同様に、第２樹脂リング保持部１４に鍔部３３を嵌合させてグロメット本体１０に第２樹脂リング３０を保持させる。
【０００８】
このグロメット１は、車体パネル等のパネル２に形成した貫通穴２ａに対して、小径内筒部１１に挿通したワイヤハーネスを先に貫通穴２ａに通し、図６（Ａ）に示すように、パネル２の一面（図示下面）側から第１樹脂リング保持部１２を挿通する。
【０００９】
次に、図６（Ｂ）に示すように、第２樹脂リング保持部１４を貫通穴２ａに押し込みつつ（図矢印Ａ）、ワイヤハーネス又は小径内筒部１１を引っ張る（図示矢印Ｂ）。
【００１０】
これにより、貫通穴２ａの径以上の直径となるように外筒部１３がパネル２の他面（図示上面）側において外側に膨出するとともに、半割の第１樹脂リング２０が径方向外側へと一時的に広がる。
【００１１】
そして、係合爪３１ａが係合穴２２ａの位置に達すると、径方向外側に広がった半割の第１樹脂リング２０がグロメット本体１０の弾性により径方向内側に復帰すると同時に係合爪３１ａが係合穴２２ａに係合する。
【００１２】
したがって、グロメット１は、図６（Ｃ）に示すように、パネル２の一面側に位置する膨出状態の外筒部１３とパネル２の他面側に位置する第２樹脂リング保持部１４とによってパネル２に保持される。
【先行技術文献】
【特許文献】
【００１３】
【特許文献１】特開２０１１−１１６１７６号公報
【発明の概要】
【発明が解決しようとする課題】
【００１４】
しかしながら、このような従来のグロメット１にあっては、グロメット１をパネル２に装着する際に、第２樹脂リング保持部１４を貫通穴２ａに押し込む作業と、この押し込み作業とは逆方向にワイヤハーネス又は小径内筒部１１を同時に引っ張る作業と、を必要としているために、作業者の両手が塞がってしまい、煩雑な作業を強いられるという問題が生じていた。
【００１５】
また、この両方向の作業タイミングが合わないと、外筒部１３の中途部が膨出する際に貫通穴２ａに嵌まり込み、不安定な取り付け状態となる虞があった。
【００１６】
さらに、係合爪３１ａを係合穴２２ａに係合させるのとは別に、半割の第１樹脂リング２０を径方向外側に広げるという作業者の直接作業ではない特殊な動作を確保する複雑な構成が必要となる。
【００１７】
このため、ワイヤハーネスを密着状態で挿通している小径内筒部１１も同時に広がってしまい、ワイヤハーネスの密着状態が解除されるとともに小径内筒部１１が完全には元の状態に戻らず、ワイヤハーネスと小径内筒部１１との間に隙間ができ易いという問題があった。
【００１８】
本発明は、上述のような課題を解決するためになされたもので、簡素な構成でありながら、作業者によるグロメットのパネルへの装着作業を容易に行うことができ、しかも、パネルにグロメットを安定して装着することができるグロメットを提供することを目的とする。
【課題を解決するための手段】
【００１９】
本発明に係るグロメットは、上記目的達成のため、パネルに形成した貫通穴に装着してワイヤハーネスを保護するグロメットにおいて、ゴム又はエストラマーからなるリング状のグロメット本体と、前記グロメット本体の一面側に位置する第１樹脂リングと、前記グロメット本体の他面側に位置する第２樹脂リングと、を備え、前記グロメット本体は、前記第１樹脂リングと嵌合する嵌合溝と、前記一面側から筒状に立ち上がるシール部と、を備え、前記第１樹脂リングは、前記嵌合溝と嵌合する鍔部と、前記鍔部から前記シール部の内側に位置して前記パネルと係合するように立ち上がる複数の保持爪と、この複数の保持爪の間において前記鍔部から前記シール部の内側に位置するように立ち上がる複数の壁部と、前記保持爪の内側から径方向内側に突出する複数の被係合部と、を備え、前記第２樹脂リングは、前記グロメット本体を前記他面側から前記一面側へと貫通して前記被係合部と係合するように立ち上がる複数の係合爪を備え、前記嵌合溝に前記鍔部を嵌合することで前記グロメット本体と前記第１樹脂リングとを組み付け、前記被係合部に前記係合爪を係合させることによって前記グロメット本体を含み前記第１樹脂リングと前記第２樹脂リングとを組み付けるとともに、前記保持爪を前記パネルに係合させることによって組み付け状態の前記第１樹脂リングを前記パネルに装着するよう構成したものである。
【００２０】
本発明に係るグロメットは、ゴム又はエストラマーからなるリング状のグロメット本体と、このグロメット本体の一面側に第１樹脂リング、他面側に第２樹脂リングがそれぞれ位置した構成を採用している。
【００２１】
ここで、グロメット本体の嵌合溝に第１樹脂リングの鍔部が嵌合するとともに、グロメット本体の一面側からシール部が筒状に立ち上がっている。また、第１樹脂リングの鍔部には、複数の保持爪がシール部の内側に位置してパネルと係合するように立ち上がり、複数の壁部が複数の保持爪の間において鍔部からシール部の内側に位置するように立ち上がり、複数の被係合部が係合爪の内側から径方向内側に突出している。
【００２２】
そして、第１樹脂リングの鍔部をグロメット本体の嵌合溝に嵌合することで第１樹脂リングとグロメット本体とを組み付けることができる。また、この組み付け状態において、第２樹脂リングの複数の係合爪をグロメット本体の他面側から一面側へと貫通させて第１樹脂リングの複数の被係合部に係合させることによって第１樹脂リングと第２樹脂リングとが組み付けられる。
【００２３】
一方、これらを組み付けたグロメットは、少なくともグロメット本体と第１樹脂リングとを組み付けた状態において作業者の片手作業で保持爪をパネルに係合させるだけでパネルに装着することができる。
【００２４】
これにより、作業者の片手作業でパネルにグロメットを安定して装着することができ、しかも、作業者の作業とは独立した特殊な動作を必要としない簡素な構成とすることができる。
【００２５】
また、上記構成のグロメットは、前記複数の壁部に形成された開口部と、前記第２樹脂リングに突出形成されるとともに前記グロメット本体を前記他面側から前記一面側へと貫通して前記シール部の内壁面と少なくとも先端寄りの一部が当接するように前記開口部に臨む押圧片と、を備え、前記押圧片は、前記シール部の内壁面と当接するとともに先端に向かうほど径方向外側から径方向内側に傾斜する傾斜面を備えた構成としてもよい。
【００２６】
また、上記構成のグロメットにおいて、前記グロメットの前記他面側に形成されて前記第２樹脂リングと当接するシールリップ部を備える構成としてもよい。
【００２７】
さらに、上記構成のグロメットにおいて、前記シール部の外壁面に形成されて前記貫通穴の開口端面と当接するシールリップ部を備える構成とするのが好ましい。
【００２８】
この構成により、本発明に係るグロメットは、防水性をより一層、向上することができる。
【発明の効果】
【００２９】
本発明によれば、簡素な構成でありながら、作業者によるグロメットのパネルへの装着作業を容易に行うことができ、しかも、パネルにグロメットを安定して装着することができるグロメットを提供することができる。
【図面の簡単な説明】
【００３０】
【図１】本発明の一実施の形態に係るグロメットを示し、グロメットの分解斜視図である。
【図２】本発明の一実施の形態に係るグロメットを示し、グロメットの斜視図である。
【図３】本発明の一実施の形態に係るグロメットを示し、グロメットの平面図である。
【図４】本発明の他の実施の形態に係るグロメットを示し、図３のＡ−Ａ線に沿う組み付け状態の要部の端面図である。
【図５】本発明の他実施の形態に係るグロメットを示し、図３のＡ−Ａ線に沿う分解状態の要部の端面図である。
【図６】従来のグロメットを示し、（Ａ）〜（Ｃ）はグロメットをの貫通穴に装着する工程を時系列で示す要部の断面図である。
【発明を実施するための形態】
【００３１】
次に、本発明に係る一実施の形態について図面を参照して説明する。
【００３２】
まず、グロメットの構成を説明する。本実施の形態として示すグロメットは、車両用ワイヤハーネス（以下、単に「ハーネス」と称する。）に適用するものである。
【００３３】
図１に示すように、グロメット１００は、リング状のグロメット本体１１０と、グロメット本体１１０の一面側に位置する第１樹脂リング１２０と、グロメット本体１１０の他面側に位置する第２樹脂リング１３０と、を備えた構成となっている。
【００３４】
また、グロメット１００は、図２乃至図４に示すように、グロメット本体１１０と第１樹脂リング１２０と第２樹脂リング１３０とを組み付けた状態で車体パネル等のパネル３に形成した貫通穴４に嵌合した状態でパネル３に保持されるようになっている。この際、グロメット１００は、グロメット本体１１０の中心に形成したハーネス貫通穴１１１にハーネス（図示せず）が貫通することでハーネスを保持するようになっている。
【００３５】
なお、本実施の形態においては、ハーネスはエンジンルーム等の車室外側から車室内側へと引き込まれている。このため、グロメット１００においても、パネル３に対して車室外側から車室内側へと向けて装着されるとともに、車室外側から車室内側への水滴等の浸入を抑制するものである。
【００３６】
（グロメット本体１１０の構成）
グロメット本体１１０は、ゴム又はエストラマーから成型され、図５に示すように、ハーネス貫通穴１１１よりも径方向外側において径方向内側に向けて開放する嵌合溝１１２を有する。この嵌合溝１１２は、グロメット本体１１０の一面側となる室内側パネル部１１３と、グロメット本体１１０の他面側となるとともにハーネス貫通穴１１１を形成した室外側パネルに１１４との間によって形成されている。なお、以下の説明においては、グロメット１０の構成に関して、径方向の内側及び外側を内外の基準とする。
【００３７】
一面側である室内側パネル部１１３の内周端には、軸線方向に沿って筒状に立ち上がるシール部１１５が形成されている。また、室内側パネル部１１３の外周端には、周方向にに沿う環状のシールリップ部１１６が形成されている。なお、シール部１１５の外壁面には、シール部１１５の全周に跨って外側に向けて突出するシールリップ部１１５ａが形成されている。
【００３８】
他面側である室外側パネル部１１４には、ハーネス貫通穴１１１よりも径方向外側に位置して周方向に沿うように円弧又は直線的に延びるスリット状のランス貫通穴１１７が複数形成されている。また、室外側パネル部１１４には、ハーネス貫通穴１１１よりも径方向外側に位置して径方向に沿って延びる矩形の押圧片貫通穴１１８が複数形成されている。なお、この押圧片貫通穴１１８は、シール部１１５を径方向で内外に跨る位置に形成されている。さらに、室外側パネル部１１４の外周寄りの表面には、周方向に沿う環状のシールリップ部１１９が形成されている。このシールリップ部１１９は、第２樹脂リング１３０と当接するようになっている。
【００３９】
（第１樹脂リング１２０の構成）
第１樹脂リング１２０は、硬質樹脂材料の一体成型品であり、環状の鍔部１２１と、鍔部１２１の内周端から立ち上がる複数の保持爪１２２と、鍔部１２１の内周端にあって保持爪１２２の間から立ち上がる複数の壁部１２３と、を備える。
【００４０】
鍔部１２１は、径方向に沿って幅を有しており、その幅及び厚さによって嵌合溝１１２と嵌合するようになっている。
【００４１】
保持爪１２２は、鍔部１２１の内周端から立ち上がるランス状のものが用いられており、その位置及び高さはパネル３に形成した貫通穴４の形状や軸線方向に沿う開口端面の厚さ等によって設定されている。本実施の形態では、複数の保持爪１２２は、鍔部１２１からシール部１１５の内側に位置してパネル３と係合するようになっている。また、保持爪１２２の内側である内周壁面には、径方向内側に向けて突出する被係合部１２４が形成されている。
【００４２】
壁部１２３は、複数の保持爪１２２の間において鍔部１２１からシール部１１５の内側に位置するように立ち上がっている。壁部１２３には、鍔部１２１の一部に跨る開口部１２５が形成されている。
【００４３】
（第２樹脂リング１３０の構成）
第２樹脂リング１３０は、硬質樹脂材料の一体成型品であり、半割に２分割された分割パーツ１３０Ａ，１３０Ｂを合わせたものから構成されている。なお、この分割パーツ１３０は、同一の構成を備えているため、以下の説明においてはこれらを合わせたものとして説明する。したがって、図面上においても便宜上、図１を除き、分割パーツ１３０Ａ，１３０Ｂの何れかは問わないものとする。
【００４４】
第２樹脂リング１３０は、環状の鍔部１３１と、鍔部１３１の内周端から立ち上がる筒状のガイド筒１３２と、を備える。
【００４５】
鍔部１３１は、ガイド筒１３２が立ち上がる方向とは逆側の面において、複数の係合爪１３３と、この係合爪１３３の間に位置する押圧片１３４と、を備える。なお、係合爪１３３の近傍の鍔部１３１には、係合爪１３３を形成する際の金型が位置する溝１３５が形成されているが、この溝１３５はパッキン等（図示せず）によって閉塞される。
【００４６】
係合爪１３３は、、グロメット本体１１０を室外側パネル部１１４から室内側パネル部１１３へと貫通して被係合部１２４と係合するようにガイド筒１３２とは逆側に立ち上がっている。
【００４７】
押圧片１３４は、グロメット本体１１０を室外側パネル部１１４から室内側パネル部１１３へと貫通して開口部１２５に臨むようになっている。この際、押圧片１３４は、少なくとも先端寄りの一部がシール部１１５の内壁面と当接するように鍔部１３１から突出形成されている。また、押圧片１３４は、シール部１１５の内壁面と当接するとともに先端に向かうほど径方向外側から径方向内側に傾斜する傾斜面１３４ａを備える。
【００４８】
（グロメット１００の組み付け手順）
このような構成においては、嵌合溝１１２に鍔部を嵌合させた状態で被係合部１２４に係合爪１３３を係合させることによってグロメット本体１１０と第１樹脂リング１２０と第２樹脂リング１３０とが組み付けられる。
【００４９】
本実施の形態においては、図１，図５に示すように、グロメット本体１１０の一面側である室内側パネル部１１３に対して第１樹脂リング１２０を位置させ、グロメット本体１１０の他面側である室外側パネル部１１４に対して第２樹脂リング１３０を位置させる。
【００５０】
この状態から、第１樹脂リング１２０の鍔部１２１をグロメット本体１１０の嵌合溝１１２に嵌め込んでグロメット本体１１０と第１樹脂リング１２０とを組み付ける。
【００５１】
次に、分割した分割パーツ１３０Ａ，１３０Ｂからなる第２樹脂リング１３０の係合爪１３３をグロメット本体１１０のランス貫通穴１１７に挿入するとともに、第２樹脂リング１３０の押圧片１３４をグロメット本体１１０の押圧片貫通穴１１８に挿入する。
【００５２】
これにより、係合爪１３３の先端がランス貫通穴１１７を貫通した状態で被係合部１２４に係合し、第１樹脂リング１２０と第２樹脂リング１３０とが組み付けられる。同様に、押圧片１３４の先端が押圧片貫通穴１１８を貫通した状態で第１樹脂リング１２０の開口部１２５に臨む。
【００５３】
この際、室外側パネル部１１４と鍔部１３１との間は、第１樹脂リング１２０と第２樹脂リング１３０とを組み付けた際にシールリップ部１１９が圧縮されることによってシール性が確保される。
【００５４】
また、開口部１２５と押圧片１３４の傾斜面１３４ａとの間には、シール部１１５の一部が位置している。したがって、図４に示すように、押圧片１３４の先端が開口部１２５に臨む際には、押圧片１３４の傾斜面１３４ａがシール部１１５の内壁面と当接し、シール部１１５の一部が径方向外側に押し出される状態となる。
【００５５】
このように、第１樹脂リング１２０は、グロメット本体１１０を間に挟んで第２樹脂リング１３０を保持することができる。
【００５６】
（グロメット１００のパネル装着手順）
次に、グロメット１００をパネル３に装着する手順を説明する。なお、本実施の形態においては、グロメット本体１１０と第１樹脂リング１２０とを組み付けた状態でこれらをパネル３に組み付けた後に、第２樹脂リング１３０を組み付ける場合で説明する。ただし、グロメット本体１１０、第１樹脂リング１２０、第２樹脂リング１３０、を予め組み付けた状態でグロメット１００をパネル３に装着することも可能である。
【００５７】
まず、グロメット本体１１０と第１樹脂リング１２０とを組み付けた状態で、パネル３の貫通穴４に保持爪１２２と壁部１２３とを挿入し、保持爪１２２をパネル３に係合させる。これにより、組み付け状態の第１樹脂リング１２０とグロメット本体１１０とがパネル３に装着される。
【００５８】
この際、図４に示すように、室内側パネル部１１３のシールリップ部１１６がパネル３と鍔部１２１との間において潰され、室内側パネル部１１３とパネル３との間のシール性が確保される。また、シール部１１５のシールリップ部１１５ａが保持爪１２２と貫通穴４の開口端面との間において潰され、保持爪１２２とパネル３との間のシール性が確保される。
【００５９】
次に、第２樹脂リング１３０の係合爪１３３をグロメット本体１１０のランス貫通穴１１７に挿入するとともに、第２樹脂リング１３０の押圧片１３４をグロメット本体１１０の押圧片貫通穴１１８に挿入する。
【００６０】
これにより、図４に示すように、係合爪１３３が被係合部１２４に係合し、第１樹脂リング１２０に第２樹脂リング１３０が組み付けられる。これと同時に、押圧片１３４の先端が第１樹脂リング１２０の開口部１２５に臨み、シール部１１５のシールリップ部１１５ａが壁部１２３と貫通穴４の開口端面との間において潰され、壁部１２３とパネル３との間のシール性が確保される。
【００６１】
ここで、本実施の形態においては。保持爪１２２が存在している部分に関しては、この保持爪１２２によるパネル３との係合状態によって、比較的強固にシールリップ部１１５ａによるシール性を確保することができる。
【００６２】
一方、壁部１２３に関しては、単なる壁であるために、シールリップ部１１５ａによるシール性が十分に確保されない虞がある。
【００６３】
そこで、本実施の形態においては、シールリップ部１１９よりも径方向内側において押圧片１３４を設け、この押圧片１３４の傾斜面１３４ａによって壁部１２３に位置するシール部１１５を内側から外側に向けて押し出すようにしている。
【００６４】
これにより、シール部１１５のシールリップ部１１５ａを確実に潰すことができ、壁部１２３と貫通穴４の開口端面との間のシール性を確保するようにしている。
【００６５】
この際、押圧片１３４は、径方向に沿って幅を有しており、しかも傾斜面１３４ａの傾斜方向が先端に向かうほど径方向外側から径方向内側に向かって傾斜している。
【００６６】
したがって、係合爪１３３から鍔部１３１の外周端までの室外側パネル部１１４と鍔部１３１との径方向における接触幅ｗ１は比較的長く確保されている。
【００６７】
これに対して、押圧片１３４の外周端から鍔部１３１の外周端までの室外側パネル部１１４と鍔部１３１との径方向における接触幅ｗ２は接触幅ｗ１よりも短くなってしまう。
【００６８】
そこで、本実施の形態においては、この短い接触幅Ｗ２の室外側パネル部１１４と鍔部１３１との間から水滴等が進入しないように、押圧片１３４よりも外側にシールリップ部１１９を設け、シール性を確保している。
【００６９】
このように、本発明のグロメットは、パネル３に形成した貫通穴４に装着してワイヤハーネスを保護するグロメット１００において、ゴム又はエストラマーからなるリング状のグロメット本体１１０と、グロメット本体１１０の室内側パネル部１１３に位置する第１樹脂リング１２０と、グロメット本体１１０の室外側パネル部１１４に位置する第２樹脂リング１３０と、を備え、グロメット本体１１０は、第１樹脂リング１２０と嵌合する嵌合溝１１２と、室内側パネル部１１３から筒状に立ち上がるシール部１１５と、を備え、第１樹脂リング１２０は、嵌合溝１１２と嵌合する鍔部１２１と、鍔部１２１からシール部１１５の内側に位置してパネル３と係合するように立ち上がる複数の保持爪１２２と、この複数の保持爪１２２の間において鍔部１２１からシール部１１５の内側に位置するように立ち上がる複数の壁部１２３と、保持爪１２２の内側から径方向内側に突出する複数の被係合部１２４と、を備え、第２樹脂リング１３０は、グロメット本体１１０を室外側パネル部１１４から室内側パネル部１１３へと貫通して被係合部１２４と係合するように立ち上がる複数の係合爪１３３を備え、嵌合溝１１２に鍔部１２１を嵌合することでグロメット本体１１０と第１樹脂リング１２０とを組み付け、被係合部１２４に合爪１３３を係合させることによってグロメット本体１１０を含み第１樹脂リング１２０と第２樹脂リング１３０とを組み付けるとともに、保持爪１２２をパネル３に係合させることによって組み付け状態の第１樹脂リング１２０をパネル３に装着することにより、簡素な構成でありながら、作業者によるグロメットのパネルへの装着作業を容易に行うことができ、しかも、パネルにグロメットを安定して装着することができる。
【００７０】
以上説明したように、本発明に係るグロメットは、簡素な構成でありながら、作業者によるグロメットのパネルへの装着作業を容易に行うことができ、しかも、パネルにグロメットを安定して装着することができるという効果を有し、パネルに形成した貫通穴４に装着してワイヤハーネスを保護するグロメット全般に有用である。
【符号の説明】
【００７１】
３  パネル
４  貫通穴
１００  グロメット
１１０  グロメット本体
１１２  嵌合溝
１１３  室内側パネル部（一面側）
１１４  室外側パネル部（他面側）
１１５  シール部
１１５ａ  シールリップ部
１１９  シールリップ部
１２０  第１樹脂リング
１２１  鍔部
１２２  保持爪
１２３  壁部
１２４  被係合部
１２５  開口部
１３０  第２樹脂リング
１３３  係合爪
１３４  押圧片
１３４ａ  傾斜面
【図１】
2015220779.tif 000003
【図２】
2015220779.tif 000004
【図３】
2015220779.tif 000005
【図４】
2015220779.tif 000006
【図５】
2015220779.tif 000007
【図６】
2015220779.tif 000008